(57)【特許請求の範囲】
【請求項１】
検知対象ガスが反応する検知極及び酸素が反応する対極を電解質層の両側に接続したセンサ手段と、外気に含まれる前記検知対象ガスが前記検知極に拡散律速で接触するように前記外気の流入量を制御する拡散制御孔を形成した拡散制御手段とを備えた電気化学式センサを用い、前記対極から前記検知極へ外部短絡回路を介して流れる電流をプラス電流、逆方向に流れる電流をマイナス電流として、前記マイナス電流が流れる場合にセンサに異常があると判定する判定手段を備えた警報装置における電気化学式センサの使用方法であって、
前記プラス電流が検出された後、前記マイナス電流が検出された場合に異常があると判定せずに、判定停止所定期間、前記判定手段による判定を停止する電気化学式センサの使用方法。
【請求項２】
前記電気化学式センサの電源投入時に、電源投入後所定期間、前記判定手段による判定を停止する請求項１に記載の電気化学式センサの使用方法。
【請求項３】
前記判定手段が、判定所定期間、前記マイナス電流が流れ続けた場合に、前記電気化学式センサが異常であると判定する請求項１又は２に記載の電気化学式センサの使用方法。
【請求項４】
検知対象ガスが反応する検知極及び酸素が反応する対極を電解質層の両側に接続したセンサ手段と、外気に含まれる前記検知対象ガスが前記検知極に拡散律速で接触するように前記外気の流入量を制御する拡散制御孔を形成した拡散制御手段とを備えた電気化学式センサを用いて構成され、
前記対極から前記検知極へ外部短絡回路を介して流れる電流をプラス電流、逆方向に流れる電流をマイナス電流として、前記マイナス電流が流れる場合にセンサに異常があると判定する判定手段を備えた警報装置であって、
前記プラス電流が検出された後、前記マイナス電流が検出された場合に異常があると判定せずに、判定停止所定期間、前記判定手段による判定を停止する判定停止手段を備える警報装置。
【請求項５】
前記電気化学式センサの電源投入時に、電源投入後所定期間、前記判定手段による判定を停止する電源投入時停止手段を備える請求項４に記載の警報装置。
【請求項６】
前記判定手段が、判定所定期間、前記マイナス電流が流れ続けた場合に、前記電気化学式センサが異常であると判定する請求項４又は５に記載の警報装置。
【発明の詳細な説明】
【技術分野】
【０００１】
本発明は、検知対象ガスが反応する検知極及び酸素が反応する対極を電解質層の両側に接続したセンサ手段と、外気に含まれる前記検知対象ガスが前記検知極に拡散律速で接触するように前記外気の流入量を制御する拡散制御孔を形成した拡散制御手段とを備えた電気化学式センサを用い、前記対極から前記検知極へ外部短絡回路を介して流れる電流をプラス電流、逆方向に流れる電流をマイナス電流として、前記マイナス電流が流れる場合にセンサに異常があると判定する判定手段を備えた警報装置における電気化学式センサの使用方法に関する。また、そのような使用方法を実施する電気化学式センサを用いた警報装置に関する。
【背景技術】
【０００２】
警報装置等に搭載されるセンサの一つとして、例えば、一酸化炭素ガスを検知するＣＯセンサがある。また、このＣＯセンサの検知方式として、特許文献１に示すような電気化学式のものが知られている。電気化学式センサは、一般に、電解質溶液又は固体電解質を検知極及び対極で挟み込んで構成される。
なお、本明細書において説明する電気化学式センサは、特に、電解質溶液、電極、及びガス透過膜を含むものとする。この電気化学式センサの検知原理を、一酸化炭素ガスを検知するＣＯセンサを例に挙げて説明する。
【０００３】
ＣＯセンサの検知極に検知対象ガスである一酸化炭素が接触すると、下記（１）に示すように、検知極では一酸化炭素と水とが反応して二酸化炭素を生成するとともにプロトン（Ｈ+）及び電子（ｅ-）が発生する。
ＣＯ  ＋  Ｈ2Ｏ  →  ＣＯ2  ＋  ２Ｈ+  ＋  ２ｅ-  ・・・  （１）
上記（１）の反応は、今回の様に拡散制御孔等がある条件下では、測定雰囲気中において一酸化炭素が拡散する速度に依存した拡散律速反応である（酸素と一酸化炭素が共存する検知極の混成電位付近においては一酸化炭素の酸化反応は拡散律速となる。）。
【０００４】
また、検知極で発生したプロトン（Ｈ+）は電解質を通過して対極の側へ移動する。さらに、検知極で発生した電子（ｅ-）は外部回路を通過して対極へと移動し、下記（２）に示すように、対極に導入される酸素及び電解質中の水と反応し、水酸基（ＯＨ-）を生成する。尚、検知極には酸素も存在するので、一般的には一酸化炭素の約半分は検知極の酸素で酸化され、残りの半分が対極の酸素で酸化される。
１／２・Ｏ2  ＋  Ｈ2Ｏ  ＋  ２ｅ-  →  ２ＯＨ-  ・・・  （２）
【０００５】
このように上記反応に伴って検知極側から対極側へと外部回路を流れる電子（上記したプラス電流が流れる状態に相当）の電気的特性を、例えば、短絡電流値として検知することで、測定雰囲気中の一酸化炭素の濃度を測定することができる、又は、検知極、対極を開路状態としてその開路電圧を検知することで、測定雰囲気中の一酸化炭素の濃度を測定することができる。
【０００６】
ところで、警報装置は保安機器であるため、例えば、電源が入らなくなる、ガスセンサの感度が劣化する、回路が故障するといった問題が生じ、警報を正常に行わなくなる状態になることは、極力避ける必要がある。そのため、近年、警報装置に、警報装置自身が通電状態においてセンサや回路の故障の予兆を検知し、故障の虞があることを知らせる自己診断機能が搭載されている。
【０００７】
上述の電気化学式センサの場合、センサの特性及び検知回路の構成上、正常にガスを検知したときには、正負のいずれか一方向にのみ信号を出力する（以下では、正常な場合の信号をプラスとする）。このため、電気化学式センサを用いる警報装置においては、センサの自己診断機能として、正常に機能している場合に比べ正負が反転した出力（マイナスとする）があった場合に、センサに故障の虞があることを知らせるように構成されているものが一般的である。
【先行技術文献】
【特許文献】
【０００８】
【特許文献１】特開２００４−２７９２９３号公報
【発明の概要】
【発明が解決しようとする課題】
【０００９】
ところで、電気化学式センサを用いる警報装置は、例えば、警報装置の点検時などに、当該センサが検知対象とするガスとは異なる種類の点検用ガスが吹き付けられることがある。このとき、電気化学式センサによっては、プラスの出力をした後、一時的にマイナスの出力をすることを発明者らは実験的に見出した。ここで、電気化学式ＣＯセンサの場合には、その点検ガスは水素ガスであり、通常その濃度は高濃度である。
【００１０】
このような場合、センサ自体は故障していないにも関わらず、警報装置は上述の自己診断機能によってセンサに故障の虞があると判定してしまうので、利用者は警報装置を交換する必要があると誤認してしまう虞がある。
【００１１】
本発明は上記問題点に鑑みてなされたものであり、その目的は、電気化学式センサを用いた警報装置において、点検用ガスが吹き付けられた場合でも誤った判定をすることがないとともに、通常利用時には故障の虞があることを正常に判定可能な電気化学式センサの使用方法を確立することを目的とする。
【課題を解決するための手段】
【００１２】
本発明に係る電気化学式センサの使用方法の特徴構成は、検知対象ガスが反応する検知極及び酸素が反応する対極を電解質層の両側に接続したセンサ手段と、外気に含まれる前記検知対象ガスが前記検知極に拡散律速で接触するように前記外気の流入量を制御する拡散制御孔を形成した拡散制御手段とを備えた電気化学式センサを用い、前記対極から前記検知極へ外部短絡回路を介して流れる電流をプラス電流、逆方向に流れる電流をマイナス電流として、前記マイナス電流が流れる場合にセンサに異常があると判定する判定手段を備えた警報装置における電気化学式センサの使用方法であって、前記プラス電流が検出された後、前記マイナス電流が検出された場合に異常があると判定せずに、判定停止所定期間、前記判定手段による判定を停止することにある。
【００１３】
発明者らの鋭意研究の結果、電気化学式センサと点検用ガスとの関係について次のことが分かった。拡散制御手段を備えた電気化学式センサを用いる警報装置において、拡散制御手段によってセンサ手段に侵入する気体の流入量を制御した場合でも、検知対象ガスよりも拡散速度の速い点検用ガスが浸入してきた場合には、検知極側に加えて対極側にも当該点検用ガスが回り込む。これにより、検知極と対極との双方において酸化反応が生じ、これによりセンサ手段のガスに対する感度が極端に低減する。特に、点検ガスは一般に高濃度のものが用いられるため、この現象が起こり易い。従って、点検用ガスにセンサ手段が曝露された場合には、排気開始直後には、対極側に当該ガスが滞留している。また、排気時には検知極側から当該ガスが抜けて行く。そのため、しばらくの間、対極側の方が検知極側よりも当該ガスと多く反応し、対極側から検知極側へと電流が流れる（マイナス電流が流れる）ことが判明した。
【００１４】
この点、本願特徴構成においては、プラス電流が検出された後に、マイナス電流が検出されると、マイナス電流の検出後、判定停止所定期間、判定手段による判定を停止する。このため、点検用ガスが吹き付けられた場合でも、プラス電流の後一時的に生じるマイナス電流によってセンサに故障の虞があると誤検知することがない。また、このような構成とすれば、通常利用時にセンサに故障が生じた場合、出力がない状態からマイナス電流が流れるので、故障の虞があることを正常に検知することが可能である。
【００１５】
本発明に係る電気化学式センサの使用方法において、前記電気化学式センサの電源投入時に、電源投入後所定期間、前記判定手段による判定を停止することが好ましい。
【００１６】
本構成の電気化学式センサの使用方法によれば、電源投入時においては、電気化学式センサの出力に関わらず、電源投入後所定期間、判定手段による判定が停止される。
従って、本構成では、例えば、警報装置を家屋に設置する際などにおいて電源投入後、所定期間内に、電磁波などの外的要因によってマイナス電流が流れても、センサに故障の虞があると誤検知することがない。また、このような構成においては、電源投入から所定期間を過ぎれば、判定手段により、マイナス電流が流れる場合にセンサに異常があると判定するので、通常利用時には故障の虞があることを正常に判定することが可能である。
【００１７】
また、本発明に係る電気化学式センサの使用方法において、前記判定手段が、判定所定期間、前記マイナス電流が流れ続けた場合に、前記電気化学式センサが異常であると判定することが好ましい。
【００１８】
本構成の電気化学式センサの使用方法によれば、マイナス電流が流れた場合に即座に警報装置が故障していると判定せず、判定所定期間マイナス電流が流れ続けることを確認した後に、センサに異常があると判定する。
従って、本構成では、故障によりマイナス電流が流れ続ける場合のみセンサに異常があると判定し、判定所定期間より短い間マイナス電流が流れただけの場合には異常であるとは判定しなくなるので、例えば、警報装置外部からのノイズにより一時的にマイナス電流が流れた場合などに誤判定する虞が軽減でき、より高精度にセンサに異常があることを判断できる。
【００１９】
本発明に係る警報装置の特徴構成は、検知対象ガスが反応する検知極及び酸素が反応する対極を電解質層の両側に接続したセンサ手段と、外気に含まれる前記検知対象ガスが前記検知極に拡散律速で接触するように前記外気の流入量を制御する拡散制御孔を形成した拡散制御手段とを備えた電気化学式センサを用いて構成され、前記対極から前記検知極へ外部短絡回路を介して流れる電流をプラス電流、逆方向に流れる電流をマイナス電流として、前記マイナス電流が流れる場合にセンサに異常があると判定する判定手段を備えた警報装置であって、前記プラス電流が検出された後、前記マイナス電流が検出された場合に異常があると判定せずに、判定停止所定期間、前記判定手段による判定を停止する判定停止手段を備えることにある。
【００２０】
上記特徴構成においては、停止手段により、プラス電流が検出された後に、マイナス電流が検出されると、マイナス電流の検出後、判定停止所定期間、判定手段による判定を停止することができる。このため、点検用ガスが吹き付けられた場合でも、プラス電流の後一時的に生じるマイナス電流によってセンサに故障の虞があると誤検知することがない。また、このような構成とすれば、通常利用時にセンサに故障が生じた場合、出力がない状態からマイナス電流が流れるので、故障の虞があることを正常に検知することが可能である。
【００２１】
本発明に係る警報装置において、前記電気化学式センサの電源投入時に、電源投入後所定期間、前記判定手段による判定を停止する電源投入時停止手段を備えることが好ましい。
【００２２】
本構成の警報装置によれば、電源投入時においては、電源投入時停止手段により、電気化学式センサの出力に関わらず、電源投入後所定期間、判定手段による判定が停止される。
従って、本構成では、例えば、警報装置を家屋に設置する際などにおいて電源投入後所定期間内に、電磁波などの外的要因によってマイナス電流が流れても、センサに故障の虞があると誤検知することがない。また、このような構成においては、電源投入から所定期間を過ぎれば、判定手段により、マイナス電流が流れる場合にセンサに異常があると判定するので、通常利用時には故障の虞があることを正常に判定することが可能である。
【００２３】
また、前記判定手段が、判定所定期間、前記マイナス電流が流れ続けた場合に、前記電気化学式センサが異常であると判定することが好ましい。
【００２４】
本構成の警報装置によれば、判定手段により、マイナス電流が流れた場合に即座に電気化学式センサが故障していると判断せず、判定所定期間マイナス電流が流れ続けることを確認した後に、電気化学式センサが異常である、すなわち故障していると判定する。
従って、本構成では、故障によりマイナス電流が流れ続ける場合のみセンサに異常があると判定し、判定所定期間より短い間マイナス電流が流れただけの場合には異常であるとは判定しなくなるので、例えば、警報装置外部からのノイズにより一時的にマイナス電流が流れた場合などに誤判定する虞が軽減でき、より高精度にセンサに異常があることを判断できる。
【図面の簡単な説明】
【００２５】
【図１】本実施形態における警報装置の外観を示す概略図
【図２】本実施形態における電気化学式センサの全体構成を示す縦断面図
【図３】電気化学式センサの要部であるセンサ本体の縦断面図
【図４】二極式の電気化学式センサを用いた基本測定回路図
【図５】予備試験の結果を示すグラフ
【図６】電気化学式センサにおけるアノード極（検知極）及びカソード極（対極）の電位の高低差を示す図
【図７】電気化学式センサの特性を示すグラフ
【発明を実施するための形態】
【００２６】
以下、本発明による実施形態を図面に基づいて説明する。なお、本発明は以下に説明する実施形態や図面に記載される構成に限定されるものではなく、種々の改変が可能である。
【００２７】
１．装置の機械的構成
〔警報装置の外観構成〕
本実施形態における警報装置６０の外観を図１（ａ）に示す。警報装置６０は、概略直方体の筐体６１を備え、筐体６１内部には、電気化学式センサ１００やメタンセンサ１０１などの各種センサ及び、センサからの出力信号に基づいて後述する各種処理を行うためのマイクロコンピュータ２０５が含まれている。筐体６１の一面には、各種センサに点検用のガスを吹き付けるための点検口６２が設けられている。
【００２８】
警報装置６０の内部構成を、図１（ｂ）に示す。点検口６２の軸方向に見て（図１の表裏方向視で）、点検口６２と隣接する位置に、電気化学式センサ１００及びメタンセンサ１０１が配置されている。このため、点検口６２から侵入した点検用のガスは、電気化学式センサ１００及びメタンセンサ１０１の双方に吹き付けられる。センサの位置関係は、より具体的には、点検口６２の軸方向に見て、点検口６２と重複する位置にメタンセンサ１０１が配置されている。そして、メタンセンサ１０１に隣接するように電気化学式センサ１００が配置されている。
【００２９】
〔電気化学式センサの基本構造〕
図２は、本発明の電気化学式センサの使用方法で使用する電気化学式センサ１００の全体構成を示す縦断面図である。図３は、電気化学式センサ１００の要部であるセンサ本体１０の縦断面図である。
【００３０】
本実施形態の電気化学式センサ１００は、具体的には、一酸化炭素を検知対象ガスとしたＣＯセンサであり、その基本構造として、センサ本体１０、水タンク２０、フィルタ部３０、ワッシャ４０、及びガスケット５０等を備える。
【００３１】
センサ本体１０は、図３に示すように、電解質層１の両側（上下面）に検知極としてのアノード極２と対極としてのカソード極３とが夫々接続された積層構造を有するセンサ手段１１と、後述する導電疎水膜４，５と、拡散制御板６とを備えている。
電解質層１は、後述するように、アノード極２での一酸化炭素の酸化反応に伴って発生するプロトン（Ｈ+）等のカチオンがカソード極３に移動する（あるいはカソード極３か
らＯＨ-等のアニオンがアノード極２に移動する）際の媒質として機能し、例えば、濾紙
等の基体に下記の化学式で示される芳香族スルホン酸塩（重合体）を含む電解液を含浸させて構成することができる。
【化１】
0005822566.tif 000002
なお、電解質層１には、図示しない参照電極を介在させても構わない。この場合、電解質層１を上下二層に分割し、両層の間に参照電極を挟み込む。
【００３２】
アノード極２は、一酸化炭素を二酸化炭素へと酸化する電極触媒であり、一般に白金触媒等が使用される。カソード極３も、実質的にアノード極２と同様の構成を有している。本実施形態では、アノード極２、カソード極３の膜厚は夫々約０．０５〜０．２ｍｍに設定されている。
【００３３】
アノード極２の上側及びカソード極３の下側には、導電疎水膜４，５が夫々設けられる。この導電疎水膜４，５は、アノード極２又はカソード極３での反応に関わるガス（一酸化炭素、二酸化炭素、水蒸気、及び酸素）を透過可能なガス透過膜として構成される。
【００３４】
アノード極２の上側の導電疎水膜４の上方には、拡散制御板６が設けられる。この拡散制御板６は、外気に含まれる一酸化炭素ガスがアノード極２に拡散律速で接触するように外気の流入量を制御する。具体的には、拡散制御板６には拡散制御孔６ａが形成され、この拡散制御孔６ａを経てアノード極２へと供給される外気及び一酸化炭素分子の供給量が制御される。従って、外気に含まれる一酸化炭素の濃度が高く、仮にそのままの状態で一酸化炭素をアノード極２に導入すれば、過剰な一酸化炭素のためにアノード極２での酸化反応が追いつかなくなるような場合でも、拡散制御板６に設けた拡散制御孔６ａの作用により、アノード極２ですべての一酸化炭素の酸化反応を完了させることができる。
なお、本実施形態では、拡散制御板６はステンレス等の金属からなる薄板で形成され、拡散制御孔６ａは打ち抜き等の任意の方法で形成されている。
【００３５】
また、センサ本体１０のカソード極３の側の下方には、水タンク２０が接続される。水タンク２０は、その外壁２１の一部にくびれ部２２が形成され、そのくびれ部２２に、中央部に孔部４１が形成されたワッシャ４０が係留されている。外壁２１とワッシャ４０とによって包囲される空間Ｘには、水又は水を吸収させた吸水性樹脂２３が収容されている。空間Ｘに存在する水は、水蒸気の状態でワッシャ４０の孔部４１を通り、センサ本体１０のカソード極３を通して電解質層１に供給される。
【００３６】
一方、センサ本体１０のアノード極２の側の上方には、フィルタ部３０が設けられる。フィルタ部３０は、第１通気孔３１ａが形成された上半部３１に第２通気孔３２ａが形成された下半部３２をかしめて中空部Ｙを形成し、その中空部Ｙに活性炭フィルタ３３を充填した構成となっている。この構成において、外気に含まれる一酸化炭素は第１通気孔３１ａから侵入し、活性炭フィルタ３３で不純物等が取り除かれた後、第２通気孔３２ａからセンサ本体１０のアノード極２へと供給される。
【００３７】
フィルタ部３０と水タンク２０の外壁２１との間には、水タンク２０から蒸発した水蒸気が外部に漏出しないように、ガスケット５０が設けられる。
【００３８】
本発明の電気化学式センサ１００では、水タンク２０の底面２４及び上半部３１の上面３１ｂが電極端子として機能する。従って、フィルタ部３０の上半部３１及び下半部３２、センサ本体１０の拡散制御板６、ワッシャ４０、ならびに水タンク２０の外壁２１は、金属等の導電性材料で構成される。一方、ガスケット５０は、絶縁材料で構成される。
【００３９】
〔測定回路〕
このように構成された電気化学式センサ１００は、例えば、図４に示すような基本測定回路２００に組み込まれる。この基本測定回路２００は、電気化学式センサ１００を二極式とした場合の測定方法に使用される。
【００４０】
電気化学式センサ１００のセンサ本体１０から発生した微小な電流（短絡電流）は、オペアンプ２０１、抵抗２０２、及びコンデンサ２０３によって増幅処理及び変換処理がなされ、出力端子２０４から電圧Ｖｏｕｔ（電気化学式センサの出力）として出力される。そして、この出力結果から、電気化学式センサ１００において外気に含まれる一酸化炭素の濃度の検知が行われる。短絡電流は、電解質中をアノード極２からカソード極３に流れ、外部回路中をカソード極３からアノード極２へ流れる。通常、一酸化炭素濃度が増加するに従って、電圧Ｖｏｕｔは増加する。前述の拡散制御孔６ａが開孔している本願で言う正常状態では、大気中に存在する一酸化炭素等の還元性ガスの影響によりわずかにプラス電流（一酸化炭素を検出した時と同じ方向をプラスとする）が流れる状態となる。
【００４１】
２．電気化学式センサの異常状態
拡散制御板６を備えた電気化学式センサ１００においては、検知対象ガスの濃度を正確に検知するためには、拡散制御孔６ａを健全な状態に維持しておくことが重要である。ところが、例えば、気温変化が大きい環境下等では、結露水によって拡散制御孔６ａが塞がれて拡散制御孔６ａが部分的に又は完全に閉塞して拡散性が低下する虞がある。
【００４２】
先ず、電気化学式センサ１００の拡散制御板６について、拡散制御孔６ａの有無によって出力電圧にどのような違いが生じるかを確認する予備試験を行った。試験結果を図５に示す。図５では、（ａ）が拡散制御板６に拡散制御孔６ａを設けたものであり、拡散制御孔６ａが部分的に又は完全に閉塞していない正常状態（完全開口状態）に対応する。また、（ｂ）が拡散制御板６に拡散制御孔６ａを設けないものであり、拡散制御孔６ａが部分的に又は完全に閉塞して拡散性が低下している異常状態（不完全開口状態、完全閉状態）に対応する。
【００４３】
ここで、予備試験では、拡散制御板６に拡散制御孔６ａを設けた電気化学式センサについて、２０個の電気化学式センサを用いて行っている。そして、図５（ａ）では、２０個の電気化学式センサのうち、出力電圧が最大の電圧値を示したもの、出力電圧が最小の電圧値を示したもの、出力電圧が最大と最小との間の電圧値を示したものの一部を示しており、残りのものは省略している。また、予備試験では、拡散制御板６に拡散制御孔６ａを設けない電気化学式センサについても、２０個の電気化学式センサを用いて行っている。そして、図５（ｂ）では、２０個の電気化学式センサのうち、出力電圧が最大の電圧値を示したもの、出力電圧が最小の電圧値を示したもの、出力電圧が最大と最小との間の電圧値を示したものの一部を示しており、残りのものは省略している。
【００４４】
正常状態に対応する図５（ａ）では、２０個の電気化学式センサの全ての出力電圧はベースラインである１Ｖよりも常に上回っていた（すなわち、プラスの短絡電流が発生）。一方、拡散性が低下している状態に対応する図５（ｂ）では、２０個の電気化学式センサの全ての出力電圧はベースラインである１Ｖよりも常に下回っていた（すなわち、マイナスの短絡電流が発生）。これらの結果から、電気化学式センサ１００の出力電流をモニタリングすることで、拡散性が低下しているか否かを判定することができると考えられる。
なお、この予備試験では、電気化学式センサ１００の電極間の電気的特性として出力電圧をモニタリングしているが、出力電流であっても同様の結果が得られる。
【００４５】
電気化学式センサ１００において、アノード極２とカソード極３との間に電位差が生じると、両電極間に電流（短絡電流）が流れることになる。ここで、一般大気雰囲気中におけるアノード極２及びカソード極３で生じる反応は、下記（３）で表される平衡反応となる。
Ｏ2  ＋  ２Ｈ2Ｏ  ＋  ４ｅ-  ←→  ４ＯＨ-  ・・・  （３）
ちなみに、この反応は、従来技術の項目で説明した（２）の式に相当する。ここで、図６（ａ）は、拡散性が低下していない正常状態において、アノード極２の平衡電位とカソード極３の平衡電位との高低を示しており、図６（ｂ）は、拡散性が低下している状態において、アノード極２の平衡電位とカソード極３の平衡電位との高低を示している。ちなみに、上記（３）の反応による平衡電位Ｅeqは、酸素分圧をＰO2、ＯＨ-の活量をａOH-、ａOH＝１及びＰO2＝１のときの電位をＥ0とすると、ネルンストの式から下記（４）のように表される（温度２５℃の時）。
【数１】
0005822566.tif 000003
【００４６】
図６（ａ）に示すように、拡散性が低下していない正常状態では、アノード極２の平衡電位はカソード極３の平衡電位よりも低くなっている。これは大気中の微量な一酸化炭素等の還元性ガスの酸化反応の影響によるものである。ところが、上記（４）において、酸素分圧ＰO2が低下すると（すなわち、反応する酸素が欠乏すると）、平衡電位が低下するが、アノード極２よりもカソード極３での方が影響が大きい。これは、拡散性の低下によって、センサ本体内の湿度が上昇し、アノード極２（上側）よりカソード極３（下側）の方がより水タンク２０に近いため、カソード極３及びそれに接する導電疎水膜中での結露が優先的に起こり酸素分圧（ＰO2）がより低くなるためと考えられる。その結果、カソード極３での平衡電位の低下が大きく、図６（ｂ）に示すように、アノード極２の平衡電位はカソード極３の平衡電位よりも高くなっている。よって、図６（ａ）にて示された正常状態と、図６（ｂ）にて示された拡散性が低下している状態とでは、アノード極２の平衡電位とカソード極３の平衡電位との高低関係が逆転しており、アノード極２とカソード極３との間を流れる短絡電流は、正常時がプラス電流となるのに対し、拡散性が低下した後はマイナス電流となる（電解質中をアノード極２からカソード極３に流れる方向をプラスとしている）。
【００４７】
従って、通常利用時においては、アノード極２とカソード極３との間に流れる短絡電流を検知し、マイナス電流が流れる場合にセンサに異常があると判定することが可能である。
【００４８】
本願発明に係る警報装置は、検知対象ガスを検知して、その濃度を測定するガス検知測定機能を有するとともに、上述のマイナス電流が流れることにより電気化学式センサ１００の異常を検知する異常検知機能を備えている。これらガス検知機能及び異常検知機能は、原則として、警報装置の動作において、その電源が投入されている限り働くように構成されている。
本願発明は、この異常検知機能に関して、点検作業時或いは電源投入直後の一定期間に、異常検知機能が働かないようにすることにある。
【００４９】
以下、このような異常検知機能の停止が必要となる原因及びその状況において発生する現象に関して、警報装置の構造とともに説明する。
【００５０】
図４に示すように、電気化学式センサ１００は上記基本測定回路２００に組み込まれると共に、出力端子２０４間にマイクロコンピュータ２０５が接続され、警報装置６０内に備えられている。図４では、理解を容易にするために、マイクロコンピュータを別個に描いている。マイクロコンピュータ２０５は、ソフトウェア上での演算により、短絡電流のプラス、マイナス及びその大きさを計測する計測ステップを実行する計測手段（上記検知計測機能を果たす）２１１ａ、上記異常を有無を判定する判定ステップを実行する判定手段（上記異常検知機能を果たす）２１１ｂ、及び判定停止ステップを実行する判定停止手段２１２、電源投入時停止ステップを実行する電源投入時停止手段２１３、を備えて構成されている。（各ステップについては、後述する）。
【００５１】
３．電気化学式センサの特性
図７（ａ）に、本実施形態に係る電気化学式センサ１００としてのＣＯセンサに、一酸化炭素ガスを吹き付けた場合の出力（アノード極２とカソード極３との間にかかる電圧値）を示す。図７（ａ）のデータを取るにあたり、１１９個の電気化学式センサを用い、３０、１００、３００、６５０、３０００ｐｐｍの濃度の一酸化炭素ガスを段階的に吹き付けた。図７（ａ）では、１１９個の電気化学式センサのうち、出力電圧が最大の電圧値を示したもの、出力電圧が最小の電圧値を示したもの、出力電圧が最大と最小との間の電圧値を示したものの一部を示しており、残りのものは省略している。
【００５２】
図７（ａ）から分かるように、本実施形態に係る電気化学式センサに一酸化炭素ガスを吹き付けた場合は、濃度に依らず安定した１Ｖ（基準電位）より上のプラス出力が得られている。
上記計測手段２１１ａは、この出力からＣＯの検知及び濃度特定を実行する。
【００５３】
図７（ｂ）に、本実施形態に係る電気化学式センサとしてのＣＯセンサに、一般に点検用ガスとして使用されるＨ2ガスを吹き付けた場合の出力を示す。図７（ｂ）のデータを取るにあたり、１１９個の電気化学式センサを用い、３０、１００、３００、６５０、３０００ｐｐｍの濃度のＨ2ガスを段階的に吹き付けた。図７（ｂ）では、１１９個の電気化学式センサのうち、出力電圧が最大の電圧値を示したもの、出力電圧が最小の電圧値を示したもの、出力電圧が最大と最小との間の電圧値を示したものの一部を示しており、残りのものは省略している。
【００５４】
図７（ｂ）から分かるように、本実施形態に係る電気化学式センサにＨ2ガスを吹き付けた場合、３０００ｐｐｍの高濃度のＨ2ガスを吹き付けた直後に、１Ｖ以下の出力を示す電気化学式センサが存在した。なお、図示していないが、１１９個の電気化学式センサのうち、大多数のセンサで１Ｖ以下の出力が確認された。この実験では、３０００ｐｐｍのＨ2ガスが吹き付けられた直後(図７（ｂ）横軸における１６８０ｓ)から、図７（ｂ）横軸における３１２０ｓまでの、約１５００ｓの間、１Ｖ以下のマイナス出力が確認された。
【００５５】
すなわち、発明が解決しようとする課題の項目、及び解決するための手段の項目において説明したように、点検用ガスが吹き付けられた場合において、センサが故障していないにもかかわらず、一時的にマイナス電流が流れることがあることが判明した。
そこで、判定手段２１１ｂの判定を一時的に停止する判定停止手段２１２を設ける。
【００５６】
４．異常検知機能の停止
本願に係る警報装置では、上記異常検知機能に関連して、以下の＜１＞〜＜３＞のステップを所定間隔ごとに繰り返し実行する。
＜１＞計測手段２１１ａが、アノード極２とカソード極３との間に流れるショート電流の状態を計測する計測ステップ。
＜２＞判定停止手段２１２が、１つ前の計測ステップにより計測された電流の状態がプラス電流であった場合、計測ステップにより計測された電流の状態がマイナス電流であっても、マイナス電流の検出後、判定停止所定期間、次に述べる＜３＞の判定ステップにおける判定を停止する判定停止ステップ。このステップは、言い換えると、プラス電流を検出した直後にマイナス電流が検出された場合に、判定停止所定期間、下記の判定ステップをスキップする。そして、判定停止所定期間の経過後は、下記の判定ステップを実行することとなる。
＜３＞判定手段２１１ｂが、マイナス電流が継続的に判定所定期間流れた場合に、電気化学式センサ１００に異常が生じていると判定する判定ステップを実行する。
【００５７】
＜２＞の判定停止ステップにおける判定停止所定期間としては、電気化学式センサ１００が点検用ガスを検出した際にマイナス電流が発生する時間に基づいて設定すると好適である。ここで、判定停止所定期間としては、例えば６０分を採用することが可能である。
【００５８】
この実施形態では、＜３＞の判定ステップにおいて、判定所定期間、マイナス電流が流れ続けた場合にのみ、電気化学式センサ１００が異常であると判定する。すなわち、マイナス電流が流れ始めてから所定期間に満たないうちに、プラス電流が検知された場合には、異常ではないと判定する。ここで、判定所定期間としては、例えば１２０分を採用することが可能である。
【００５９】
上記＜１＞において、「ショート電流」は電気的特性の一つに該当するものである。この「ショート電流」は、アノード極２とカソード極３とをショート（短絡）したときの電流である。
また、上記＜２＞において、「１つ前の計測ステップにより計測された電流の状態」は、例えば、図示しないメモリ等に格納しておくことができる。
【００６０】
また、この実施形態では、＜４＞電源投入時停止手段２１３が、電気化学式センサの電源投入時には、電気化学式センサ１００に電源を投入してから電源投入後所定期間、無条件に判定ステップにおける判定を停止する電源投入時停止ステップを実行する。言い換えると、電源投入直後は、電源投入後所定期間、上記の＜１＞、＜２＞、＜３＞のステップの実行時に、＜３＞の判定ステップが強制的にスキップされる。
【００６１】
電源投入時停止ステップにおける電源投入後所定期間としては、例えば、電気化学式センサ１００を家屋に設置し、電源を投入した際に行う電気化学式センサ１００の点検に要する時間以上を設定すると好適である。ここで、電源投入後所定期間としては、例えば２５分を採用することが可能である。
【００６２】
このように、本発明の電気化学式センサ１００の使用方法は、点検用ガスが吹き付けられた場合に、プラス電流から一時的にマイナス電流に転じるという電気化学式センサ１００に特有の特性を利用するものである。特に、本実施形態における電気化学式センサ１００としてのＣＯセンサに、点検用のガスとして高濃度のＨ2ガスを吹き付けた場合に誤判定が生じることを効果的に抑制することができる。
【産業上の利用可能性】
【００６３】
本発明は、検知対象ガスが反応する検知極及び酸素が反応する対極を電解質層の両側に接続したセンサ手段と、外気に含まれる前記検知対象ガスが前記検知極に拡散律速で接触するように前記外気の流入量を制御する拡散制御孔を形成した拡散制御手段とを備えて構成された電気化学式センサを用い、前記対極から前記検知極へ外部短絡回路を介して流れる電流をプラス電流、逆方向に流れる電流をマイナス電流として、前記マイナス電流が流れる場合にセンサに異常があると判定する判定手段を備えた警報装置に適応可能である。
【符号の説明】
【００６４】
１        電解質層
２        アノード極（検知極）
３        カソード極（対極）
６        拡散制御板（拡散制御手段）
６ａ      拡散制御孔
１１      センサ手段
６０      警報装置
１００    電気化学式センサ
２１１ｂ  判定手段
２１２    判定停止手段
２１３    電源投入時停止手段
【図１】
0005822566.tif 000004
【図２】
0005822566.tif 000005
【図３】
0005822566.tif 000006
【図４】
0005822566.tif 000007
【図５】
0005822566.tif 000008
【図６】
0005822566.tif 000009
【図７】
0005822566.tif 000010